(57)【要約】【課題】鏡筒を小型化することができるレンズ保持機構を提供する。【解決手段】レンズ保持機構３４は、レンズを保持するレンズ保持枠８と、レンズ保持枠８の一方の側に位置しレンズ保持枠８を支持する支持部材６と、を備え、レンズ保持枠８は、逃げ孔２８Ｂを有し、支持部材６は、逃げ孔２８Ｂを通るとともにレンズ保持枠８の他方の側の面に当接することにより、レンズ保持枠８を他方の側から一方の側に向かって付勢する付勢部２６を有する。【選択図】図６
2017083638.tif 000002
【特許請求の範囲】
【請求項１】
レンズを保持するレンズ保持部材と、前記レンズ保持部材の一方の側に位置し前記レンズ保持部材を支持する支持部材と、を備えたレンズ保持機構であって、
前記レンズ保持部材は、開口又は切り欠きからなる逃げ部を有し、
前記支持部材は、前記逃げ部を通るとともに前記レンズ保持部材の他方の側の面に当接することにより、前記レンズ保持部材を前記他方の側から前記一方の側に向かって付勢する付勢部を有する、
ことを特徴とする、レンズ保持機構。
【請求項２】
前記レンズ保持部材は当該レンズ保持機構を備えるレンズ鏡筒における当該レンズ保持部材の位置を調整するためのつまみ部を有している、
請求項１記載のレンズ保持機構。
【請求項３】
前記つまみ部は、前記レンズ鏡筒の鏡筒円筒部の外部から操作が可能である、
請求項２記載のレンズ保持機構。
【請求項４】
前記支持部材は前記つまみ部に対応する位置に前記つまみ部より面積の広いカバー部を有する、
請求項２又は３に記載のレンズ保持機構。
【請求項５】
前記支持部材の前記一方の側には光量を調整する羽根部材及び当該羽根部材を収納するケース部を有し、
前記レンズ保持部材の前記つまみ部の外端は前記ケース部の縁よりも光軸側に位置する、
請求項４に記載のレンズ保持機構。
【請求項６】
前記支持部材は、金属又は樹脂により形成されている、
請求項１から５の何れか１項に記載のレンズ保持機構。
【請求項７】
開口又は切り欠きからなる逃げ部を有するレンズ保持部材と、前記レンズ保持部材の一方の側に位置し当該レンズ保持部材を支持する支持部材であって、前記逃げ部を通ると共に前記レンズ保持部材の他方の側に当接することで前記レンズ保持部材を前記他方の側から前記一方の側へ付勢する付勢部を有する支持部材と、を有するレンズ保持機構と、
前記レンズ保持部材の一方の側に設けられた第１の鏡胴と、
前記レンズ保持部材の他方の側に設けられた第２の鏡胴と、を備え、
前記レンズ保持機構は、前記第１の鏡胴及び前記第２の鏡胴に挟持されている、
ことを特徴とするレンズ鏡筒。
【請求項８】
前記レンズ保持部材は、前記第２の鏡胴内に配置されている、請求項７に記載のレンズ鏡筒。
【請求項９】
請求項７又は８に記載のレンズ鏡筒を備える撮影装置。
【発明の詳細な説明】
【技術分野】
【０００１】
本発明は、レンズ保持機構、このレンズ保持機構を備えたレンズ鏡筒、及び、このレンズ鏡筒を備えた撮影装置に関する。
【背景技術】
【０００２】
近年、カメラ等の撮影装置の小型化、高性能化にともない、レンズ鏡筒にも高い光学性能と小型化の両立が求められている。レンズ鏡筒は、レンズ保持枠により支持された複数のレンズ群が光軸方向に並んで構成されている。このような構成のレンズ鏡筒では、製造時にレンズ及びレンズ保持枠などの成形誤差や、レンズ鏡筒の組立誤差などにより複数のレンズ群の光軸がずれてしまうことがある。複数のレンズ群の光軸のずれは、レンズ鏡筒の光学性能が低下する原因となる。
【０００３】
そこで、例えば、特許文献１には、複数のレンズ群を有する撮像光学系を内包したレンズ鏡筒において、筐体の内部に配置されたレンズ群を保持する保持枠の一部を筐体の外側に露呈させた構成の鏡筒が開示されている。特許文献１に記載された鏡筒によれば、保持枠を外部から移動させることにより、レンズ群の光軸直交方向の位置を調整することができる。
【０００４】
また、例えば、特許文献２には、第１のレンズ保持枠に径方向外方に向けて延出する延伸部を形成し、この延伸部の両面に球状の突起部を設け、一方の突起部を第２のレンズ保持枠に形成された受け部と当接させ、他方の突起部を第２のレンズ保持枠から延びる弾性部材に当接させることにより、第２のレンズ保持枠に対して第１のレンズ保持枠を光軸直交方向に移動可能に保持する構成が開示されている。
【先行技術文献】
【特許文献】
【０００５】
【特許文献１】特開２００７−２７１６４８号公報
【特許文献２】特開２０１５−９４９１８号公報
【発明の概要】
【発明が解決しようとする課題】
【０００６】
しかしながら、引用文献１に記載された発明では、レンズ保持枠を外部から一方に移動すると、レンズ保持枠の一部がレンズ鏡胴の外部に突出してしまう。このため、レンズ鏡筒を小型化することが難しい。
【０００７】
また、引用文献２に記載された発明では、第１レンズ保持枠に形成された突起部の可動範囲の全領域を覆うように第２のレンズ保持枠の受け部及び弾性部材を設けなければならず、レンズ鏡筒を小型化することが難しい。
【０００８】
本発明は上記の課題に鑑みなされたものであり、鏡筒を小型化することができるレンズ保持機構を提供することを目的とする。
【課題を解決するための手段】
【０００９】
本発明のレンズ保持機構は、レンズを保持するレンズ保持部材と、レンズ保持部材の一方の側に位置しレンズ保持部材を支持する支持部材と、を備えたレンズ保持機構であって、レンズ保持部材は、開口又は切り欠きからなる逃げ部を有し、支持部材は、逃げ部を通るとともにレンズ保持部材の他方の側の面に当接することにより、レンズ保持部材を他方の側から一方の側に向かって付勢する付勢部を有する、ことを特徴とする。
【００１０】
また、本発明のレンズ鏡筒は、開口又は切り欠きからなる逃げ部を有するレンズ保持部材と、レンズ保持部材の一方の側に位置しレンズ保持部材を支持する支持部材であって、逃げ部を通ると共にレンズ保持部材の他方の側に当接することでレンズ保持部材を他方の側から一方の側へ付勢する付勢部を有する支持部材と、を有するレンズ保持機構と、レンズ保持部材の一方の側に設けられた第１の鏡胴と、レンズ保持部材の他方の側に設けられた第２の鏡胴と、を備え、レンズ保持機構は、第１の鏡胴及び第２の鏡胴に挟持されている、ことを特徴とする。
また、本発明の撮影装置は、上記のレンズ鏡筒を備える。
【発明の効果】
【００１１】
本発明によれば、鏡筒を小型化することができるレンズ保持機構が提供される。
【図面の簡単な説明】
【００１２】
【図１】本発明の第１実施形態によるレンズ保持機構を備えたレンズ鏡筒を示す分解斜視図である。
【図２】図１に示すレンズ鏡筒の結像側から見た斜視図である。
【図３】図１に示すレンズ鏡筒の正面図である。
【図４】図３におけるＡ−Ａ断面図である。
【図５】図３におけるＢ−Ｂ断面図である。
【図６】第１実施形態のレンズ保持機構を示す斜視図であり、（Ａ）は被写体側から見た斜視図、（Ｂ）は結像側から見た斜視図である。
【図７】本発明の第２実施形態によるレンズ鏡筒の結像側から見た斜視図である。
【図８】図７に示すレンズ鏡筒の正面図である。
【図９】図８におけるＡ−Ａ断面図である。
【図１０】第２実施形態によるレンズ鏡筒のレンズ保持機構を示す分解斜視図である。
【図１１】第２実施形態によるレンズ鏡筒のレンズ保持機構を示す斜視図であり、（Ａ）は被写体側から見た斜視図、（Ｂ）は結像側から見た斜視図である。
【発明を実施するための形態】
【００１３】
＜第１実施形態＞
以下、本発明のレンズ保持機構の第１実施形態を図面を参照しながら詳細に説明する。
図１は、本発明の第１実施形態によるレンズ保持機構を備えたレンズ鏡筒を示す分解斜視図である。図２は、図１に示すレンズ鏡筒の結像側から見た斜視図である。図３は、図１に示すレンズ鏡筒の正面図である。図４は、図３におけるＡ−Ａ断面図である。図５は、図３におけるＢ−Ｂ断面図である。図６は、本実施形態のレンズ保持機構を示す斜視図であり、（Ａ）は被写体側から見た斜視図、（Ｂ）は結像側から見た斜視図である。
【００１４】
図１に示すように、本実施形態のレンズ鏡筒１は、被写体側から順に第１のレンズ鏡胴２と、絞りユニット４と、支持部材６と、レンズ保持枠８と、第２のレンズ鏡胴１０と、が組み合わされて構成されている。レンズ鏡筒１内には、複数のレンズ群が配置される。本実施形態の撮影装置は、例えば、カメラやビデオであり、図１に示すレンズ鏡筒１を備えてなる。
【００１５】
第１のレンズ鏡胴２は、円筒状の鏡胴本体１２と、鏡胴本体１２の結像側の縁から左右に延びる左右の板状部１４とを有する。第１のレンズ鏡胴２は、例えば、プラスチック等の樹脂材料により構成されている。
【００１６】
絞りユニット４は、板状の本体部１６と、本体部１６の横方向一方の側に形成されたケース部１８と、ケース部１８内に収容された絞り機構２０とを含む。本体部１６の中央には円形の孔１６Ａが形成されている。絞り機構２０は、ケース部１８内に収容されたアーム２０Ａと、絞り羽根２０Ｃとを含む。アーム２０Ａに設けられたボス２０Ｂが絞り羽根２０Ｃに形成された貫通孔を挿通している。ケース部１８の被写体側には上下方向に延びるスリット１８Ａが形成されている。このスリット１８Ａを通してアーム２０Ａを駆動することにより、絞り羽根２０Ｃが孔内に進出し、これにより、光量を調整することができる。絞りユニット４には本体部１６のケース部１８近傍の位置から上下方向に延びる取付部４Ａを有し、取付部４Ａには後述するようにねじを通すためのねじ逃げ孔４Ｂが形成されている。絞りユニット４は、例えば、プラスチック等の樹脂材料により構成されている。
【００１７】
支持部材６は、略円環状に形成された本体部２２と、本体部から横方向に延びる一対のカバー部２４と、本体部２２から径方向内側に延びる３つの付勢部２６とを備える。
【００１８】
一対のカバー部２４は、それぞれ、本体部２２の一側上部と、本体部２２の他側下部から横方向に延びている。カバー部２４はレンズ保持枠８のつまみ部３０よりも面積が広くなっている。
【００１９】
各付勢部２６は、本体部２２の径方向内側に等角度間隔で設けられている。各付勢部２６は、本体部２２から本体部２２の内側の縁に沿って円弧状に延びる円弧部２６Ａと、円弧部２６Ａから結像側に向かって屈曲して延びる屈曲部２６Ｂと、屈曲部２６Ｂの先端から光軸に垂直な面内で円弧状に延びる押圧部２６Ｃと、を備えてなる。押圧部２６Ｃの先端には、球状に被写体側に向かって突出する突出部２６Ｄが形成されている。カバー部２４は略矩形状を呈しており、レンズ保持枠８のつまみ部３０に相当する位置に形成されている。また、本体部２２には所定の位置にねじ逃げ孔２４Ａが形成されている。支持部材６は、プラスチックにより形成することも可能であるが、金属材料、特にＳＵＳ、黒塗装を施した黄銅、りん青銅などにより形成することが好ましい。ただし、支持部材６は必ずしも金属により構成する必要はなく、プラスチックにより構成することも可能である。
【００２０】
レンズ保持枠８は、略円環状の本体部２８と、本体部２８から横方向に延びる一対のつまみ部３０を有する。本体部２８の中央には円形のレンズ保持孔２８Ａが形成されており、光学系を構成するレンズ３２（図４、５）が嵌め込まれている。本体部２８には、支持部材６の屈曲部２６Ｂに相当する位置に円弧状の３つの逃げ孔２８Ｂが形成されている。また、３つの逃げ孔２８Ｂの近傍の径方向外方の位置には、被写体側に突出する球面状の突出部２８Ｃが形成されている。一対のつまみ部３０は、それぞれ、本体部２８の一側上部と、本体部２８の他側下部から横方向に延びている。レンズ保持枠８は、例えば、プラスチックなどにより形成することができる。これらつまみ部３０は、後述するように、レンズ鏡筒１における光軸と垂直な面内におけるレンズ保持枠８の位置を調整するためのものである。なお、つまみ部３０の外端は、絞りユニット４のケース部１８の外端よりも径方向内側（光軸側）に位置している。
【００２１】
本実施形態のレンズ保持機構３４は、支持部材６とレンズ保持枠８とが組み合わされてなる。図６に示すように、支持部材６とレンズ保持枠８とを組み合わせた状態において、支持部材６の３つの付勢部２６がそれぞれ対応するレンズ保持枠８に形成された３つの逃げ孔２８Ｂを挿通している。また、図４に示すように、支持部材６の結像側の面に、レンズ保持枠８の突出部２８Ｃが当接するとともに、付勢部２６の先端の突出部２６Ｄがレンズ保持枠８の結像側の面に当接している。これにより、レンズ保持枠８が被写体側に向かって付勢され、レンズ保持枠８が支持部材６に対して光軸と垂直方向に移動可能に支持される。
【００２２】
第２のレンズ鏡胴１０は、円筒状の鏡胴本体３６と、鏡胴本体３６の被写体側の縁から左右に延びる左右の板状部３８と、鏡胴本体３６から横方向に延びるように設けられた一対の収容部４０と、を有する。一対の収容部４０は、それぞれ、鏡胴本体３６の一側上部と、鏡胴本体３６の他側下部から横方向に延びている。収容部４０は断面矩形状の筒状に形成されている。第２のレンズ鏡胴１０の結像側の端部には、受光素子４２が取り付けられる。また、鏡胴本体３６の被写体側の縁には所定の位置にねじ孔３６Ａが形成されている。第２のレンズ鏡胴１０は、例えば、プラスチック等の樹脂材料により構成されている。
【００２３】
レンズ鏡筒１を構成する各部材は、絞りユニット４及び支持部材６のねじ逃げ孔４Ｂ、２４Ａにねじを挿通させて第２のレンズ鏡胴１０のねじ穴に螺合させるとともに、第２のレンズ鏡胴１０と第１のレンズ鏡胴２とをねじ止めすることにより固定されている。図４及び図５に示すように、レンズ保持枠８は第２のレンズ鏡胴１０内に位置しており、絞りユニット４及び支持部材６が第１のレンズ鏡胴２と第２のレンズ鏡胴１０により挟み込まれている。また、レンズ保持枠８の各つまみ部３０は、第２のレンズ鏡胴１０の収容部４０内に収容されている。また、第２のレンズ鏡胴１０の被写体側は、支持部材６のカバー部２４により閉鎖されており、収容部４０は結像側のみに開口している。
【００２４】
図２に示すように、第１のレンズ鏡胴２の鏡胴本体１２及び第２のレンズ鏡胴１０の鏡胴本体３６が円筒形であるため、レンズ鏡筒１は全体として円筒状を呈しており、絞りユニット４や、板状部１４や、収容部４０等がこの円筒状の部分から光軸方向外方に突出している。以下の説明では、第１のレンズ鏡胴２の鏡胴本体１２及び第２のレンズ鏡胴１０の鏡胴本体３６等の円筒形状の部分を鏡筒円筒部という。
【００２５】
以下、本実施形態のレンズ鏡筒において、レンズ３２の位置を調整する方法を説明する。
レンズ鏡筒１の組立が完了した状態で、受光素子４２からの出力により位置調整の対象となるレンズ３２の光軸のずれを検出する。
【００２６】
次に、第２のレンズ鏡胴１０の収容部４０に結像側からつまみ部３０を挟持可能な治具を差込み、レンズ鏡筒１の鏡筒円筒部の外部からつまみ部３０を操作して、レンズ保持枠８を検出されたレンズ３２のずれに応じて光軸と垂直な面内で移動する。そして、レンズ保持枠８が、レンズ３２の光軸が他のレンズ群の光軸と一致するように移動されたら、収容部４０内に接着剤４４（図５）を充填し、レンズ保持枠８を支持部材６等に対して固定する。
次に、収容部４０の結像側を封止テープ４６（図５）により閉鎖する。これにより、レンズの位置の調整が完了する。
【００２７】
以上説明したように、本実施形態のレンズ保持機構３４によれば、付勢部２６を有する支持部材６を設けるとともに、レンズ保持枠８に逃げ孔２８Ｂを形成し、付勢部２６を逃げ孔２８Ｂを挿通させ、レンズ保持枠８の結像側からレンズ保持枠８を付勢する構成としている。これにより、付勢部２６を径方向外方に設ける必要がなくなり、鏡胴の径方向の寸法を小さくすることができる。
【００２８】
また、本実施形態によれば、支持部材６を設け、レンズ保持枠８の突出部２８Ｃを支持部材６で受けることとしたため、従来技術のように第１の鏡胴にレンズ保持部の突出部を受けるための受け面を設ける必要がなくなり、第１のレンズ鏡胴２を薄く形成することができる。このため、第１のレンズ鏡胴２の径方向の寸法を小さくすることができる。
【００２９】
また、本実施形態によれば、プラスチックに比べて表面粗さが小さく摩擦係数の低い金属で構成された支持部材６によりレンズ保持枠８を保持しているため、レンズ保持枠８を小さい力で動かすことができ、これにより、光軸直交方向の位置を微細に調整することができる。
【００３０】
また、本実施形態によれば、支持部材６につまみ部３０よりも面積の広いカバー部２４を設け、このカバー部２４がレンズ保持枠８のつまみ部３０の被写体側を覆っているため、レンズ保持枠８を固定する際に接着剤４４が第１のレンズ鏡胴２へ流れ込むのを防止できる。このため、絞りユニット４近傍にレンズ保持枠８を配置することができ、部材数を削減することができる。
【００３１】
また、本実施形態によれば、つまみ部３０の外端は、絞りユニット４のケース部１８の外端よりも径方向内側（光軸側）に位置している。このため、つまみ部３０を設けたとしても、レンズ鏡筒１が大型化することを防止できる。
【００３２】
また、本実施形態では、支持部材６を絞りユニット４を介して第１のレンズ鏡胴２及び第２のレンズ鏡胴１０の間に挟み込んだ状態で、第１のレンズ鏡胴２と第２のレンズ鏡胴とをねじで固定することにより固定している。このため、支持部材６を平面度が高い状態で保持することができる。これにより、支持部材６に対してレンズ保持枠８を移動しても、レンズ３２を正確な光軸方向位置に配置することができる。
【００３３】
また、レンズ保持枠８は第２のレンズ鏡胴１０内に配置されており、レンズ保持枠８の位置を調整してもレンズ保持枠８の一部が鏡胴外部に突出することがない。このため、レンズ鏡筒１を小型化することができる。
【００３４】
＜第２実施形態＞
なお、上記実施形態では、レンズ支持枠に逃げ孔を設け、支持部材の付勢部をレンズ支持枠の逃げ孔を挿通させていたが、本発明はこれに限らない。以下、支持部材に逃げ孔に代えて逃げ切り欠きを形成した第２実施形態について説明する。
図７は、本発明の第２実施形態によるレンズ鏡筒の結像側から見た斜視図である。図８は、図７に示すレンズ鏡筒の正面図である。図９は、図８におけるＡ−Ａ断面図である。図１０は、第２実施形態によるレンズ鏡筒のレンズ保持機構を示す分解斜視図である。図１１は、第２実施形態によるレンズ鏡筒のレンズ保持機構を示す斜視図であり、（Ａ）は被写体側から見た斜視図、（Ｂ）は結像側から見た斜視図である。なお、以下の説明において、第１実施形態と同様の構成については同じ符号を付して説明を省略する。
第２実施形態では、レンズ保持機構の構成が第１実施形態と異なっているが、その他の部材の基本構成は第１実施形態と同様である。
【００３５】
第２実施形態のレンズ保持機構において、支持部材１０６は、略円環状に形成された本体部１２４と、本体部から延びる３つの付勢部１２６とを備える。
【００３６】
本体部１２４には、等角度間隔で円弧状に延びる３つの開口１２４Ｂが形成されており、各開口１２４Ｂ内に付勢部１２６が設けられている。
【００３７】
各付勢部１２６は、開口１２４Ｂの周方向一方の端部から円周方向に延びる基部１２６Ａと、基部１２６Ａから結像側に向かって屈曲して延びる屈曲部１２６Ｂと、屈曲部１２６Ｂの先端から光軸に垂直な面内で円弧状に延びる押圧部１２６Ｃと、を備えてなる。押圧部１２６Ｃの先端部には、球状に被写体側に向かって突出する突出部１２６Ｄが形成されている。第１実施形態と同様に、本体部１２４には所定の位置にねじ逃げ孔１２４Ａが形成されている。支持部材１０６は、プラスチックにより形成することも可能であるが、金属材料、特にＳＵＳ、黒塗装を施した黄銅、りん青銅などにより形成することが好ましい。
【００３８】
また、第２実施形態のレンズ保持枠１０８は、略円環状の本体部１２８と、本体部１２８から径方向外方に延びる３つのつまみ部１３０を有する。本体部１２８の中央には円形のレンズ保持孔１２８Ａが形成されており、光学系を構成するレンズ３２（図９）が嵌め込まれている。本体部１２８の縁には、支持部材１０６の屈曲部１２６Ｂに相当する位置に円弧状の３つの逃げ切り欠き１２８Ｂが形成されている。また、３つの逃げ切り欠き１２８Ｂの近傍には、被写体側に突出する球面状の突出部１２８Ｃが形成されている。レンズ保持枠１０８は、例えば、プラスチックなどにより形成することができる。
【００３９】
本実施形態のレンズ保持機構１３４も、支持部材１０６とレンズ保持枠１０８とが組み合わされてなる。図１１に示すように、支持部材１０６及びレンズ保持枠１０８は、支持部材１０６の３つの付勢部１２６がレンズ保持枠１０８に形成された３つの逃げ切り欠き１２８Ｂ内に位置するように組み合わされている。そして、図９に示すように、支持部材１０６の結像側の面に、レンズ保持枠１０８の突出部１２８Ｃが当接するとともに、付勢部１２６の先端の突出部１２６Ｄがレンズ保持枠１０８の結像側の面に当接している。これにより、レンズ保持枠１０８が被写体側に向かって付勢され、レンズ保持枠１０８が支持部材１０６に対して光軸と垂直方向に移動可能に支持される。なお、第２実施形態の支持部材１０６には、第１実施形態のような本体部から径方向外方に延びるようなカバー部は設けられていないが、支持部材１０６の本体部１２４のレンズ保持枠１０８のつまみ部１３０に当たる部分がカバー部に相当し、第１実施形態と同様に機能する。
【００４０】
本実施形態の第２のレンズ鏡胴１１０は、被写体側の縁のレンズ保持枠１０８のつまみ部１３０に相当する位置に調整用切り欠き部１１０Ａが形成されている。
【００４１】
本実施形態においても、レンズ鏡筒１０１を構成する各部材は、絞りユニット４及び支持部材１０６のねじ逃げ孔１２４Ａにねじを挿通させて第２のレンズ鏡胴１１０のねじ穴に螺合させるとともに、第２のレンズ鏡胴１１０と第１のレンズ鏡胴２とをねじ止めすることにより固定されている。図７に示すように、本実施形態のレンズ鏡筒１０１では、レンズ保持枠１０８のつまみ部１３０が第２のレンズ鏡胴の調整用切り欠き部１１０Ａ内に配置され、外部に露出している。
【００４２】
以下、第２実施形態のレンズ鏡筒１０１において、レンズシフトを調整する方法を説明する。
レンズ鏡胴の組立が完了した状態で、受光素子４２からの出力によりシフト調整の対象となるレンズ３２の光軸のずれを検出する。
【００４３】
次に、第２のレンズ鏡胴１１０の調整用切り欠き部１１０Ａに径方向外側から、つまみ部１３０を移動させるための治具を差込み、レンズ保持枠１０８を検出されたレンズ４３のずれに応じて光軸と垂直な面内で移動する。そして、レンズ保持枠１０８が、レンズ４３の光軸が他のレンズ群の光軸と一致するように移動されたら、調整用切り欠き部１１０Ａ内に接着剤を充填し、レンズ保持枠１０８を支持部材等に対して固定する。
【００４４】
次に、第２のレンズ鏡胴１１０の調整用切り欠き部１１０Ａを径方向外方から封止テープにより閉鎖する。これにより、レンズシフトの調整が完了する。
【００４５】
第２実施形態によっても、第１実施形態と同様の作用効果が得られる。
【符号の説明】
【００４６】
１  レンズ鏡筒
２  第１のレンズ鏡胴
４  絞りユニット
６  支持部材
８  レンズ保持枠（レンズ保持部材）
１０  第２のレンズ鏡胴
１２  鏡胴本体
１４  板状部
１６  本体部
１８  ケース部
１８Ａ  スリット
２０  絞り機構
２０Ａ  アーム
２０Ｂ  ボス
２０Ｃ  絞り羽根（羽根部材）
２２  本体部
２４  カバー部
２４Ａ  ねじ逃げ孔
２６  付勢部
２６Ａ  円弧部
２６Ｂ  屈曲部
２６Ｃ  押圧部
２６Ｄ  突出部
２８  本体部
２８Ｂ  逃げ孔（逃げ部）
２８Ｃ  突出部
２８Ａ  レンズ保持孔
３０  つまみ部
３２  レンズ
３４  レンズ保持機構
３６  鏡胴本体
３８  板状部
４０  収容部
４２  受光素子
４４  接着剤
１０１  レンズ鏡筒
１０６  支持部材
１０８  レンズ保持枠
１１０  第２のレンズ鏡胴
１１０Ａ  調整用切り欠き部
１２４  本体部
１２４Ａ  ねじ逃げ孔
１２４Ｂ  開口
１２６  付勢部
１２６Ａ  基部
１２６Ｂ  屈曲部
１２６Ｃ  押圧部
１２６Ｄ  突出部
１２８  本体部
１２８Ａ  レンズ保持孔
１２８Ｂ  逃げ切り欠き（逃げ部）
１２８Ｃ  突出部
１３０  つまみ部
１３４  レンズ保持機構
【図１】
2017083638.tif 000003
【図２】
2017083638.tif 000004
【図３】
2017083638.tif 000005
【図４】
2017083638.tif 000006
【図５】
2017083638.tif 000007
【図６】
2017083638.tif 000008
【図７】
2017083638.tif 000009
【図８】
2017083638.tif 000010
【図９】
2017083638.tif 000011
【図１０】
2017083638.tif 000012
【図１１】
2017083638.tif 000013